(57)【要約】【課題】押縁の取り外しを容易にできると共に、押縁コーナー部と枠体コーナー部の見栄えを良くする。【解決手段】縦枠材３０の長手方向端面寄り部分が横枠材１０，２０の長手方向端面１０ａ，２０ａに接触するように縦横枠材を連結して枠体１とし、前記縦枠材３０の中間係合受片３２に縦押縁６０の内側係合片６２を面材側に向けて回動することで離脱可能に係合して取付け、この縦押縁６０の長手方向端面寄り部分の面内方向内側部分を切断して除去し、その残存した部分で前記縦枠材３０の長手方向端面寄り部分を覆うと共に、前記切断面に横押縁４０，５０を接して縦・横押縁６０，４０，５０のコーナー部、枠体１のコーナー部の見栄えを良くし、前記内側係合片６２の長手方向端面寄り部分を除去して縦押縁６０の面内方向内側部分の長手方向端面寄り部分を面材側に変形し易くし、その部分を強く面材側に押すことで内側係合片６２が中間係合受片３２から離脱するようにする。【選択図】図３
2010216148.tif 000002
【特許請求の範囲】
【請求項１】
枠体内に押縁を用いて面材を装着した建具であって、
前記枠体は、縦枠材と横枠材が、一方の枠材の長手方向端面寄り部分が、他方の枠材の長手方向端面と接触するように連結し、
前記押縁は、縦押縁と横押縁のうちの一方の押縁が、面内方向内側部分を面材側に向けて回動することで面内方向中間部が離脱可能となるように、一方の枠材に対して係合して取付けられ、
前記一方の押縁は、その長手方向端面寄り部分における面内方向内側部分が除去され、その残存した面内方向外側部分が、前記一方の枠材の長手方向端面寄り部分を覆うようにし、
前記他方の枠材に取付けた他方の押縁の長手方向端面寄り部分は、前記一方の押縁における前記残存した面内方向外側部分と、当該一方の押縁における面内方向内側部分の長手方向端面とに接して、前記一方の押縁と他方の押縁が連続するようにし、
前記一方の押縁は、その面内方向内側部分の長手方向端面寄り部分が前記一方の枠材と係合しないようにしたことを特徴とする建具。
【請求項２】
前記一方の押縁は、面内方向に向かう本体と、この本体の面内方向中間部に設けた中間係合片と、前記本体における中間係合片よりも面内方向外側寄りに設けた支持部を有し、
前記中間係合片が、一方の枠材の内側係合受片に係合し、前記支持部が一方の枠材の支持受部に接することで、前記一方の押縁が一方の枠材に係合して取付けられ、
前記中間係合片と前記内側係合受片の少なくとも一方における長手方向端面寄り部分を除去して、前記一方の押縁の面内方向内側部分の長手方向端面寄り部分が前記一方の枠材と係合しないようにした請求項１記載の建具。
【請求項３】
前記内側係合受片は、面内方向内側に突出し、かつ見込み方向面材側に向かう係合受突部を有し、
前記中間係合片は、面内方向外側に向かうほぼ鉤形状で、一方の押縁の面内方向内側部分を面材側に傾斜した状態で、面内方向に移動することで前記内側係合受片に係合及び離脱可能で、かつ係合した状態で係合受突部を回動中心として室内外側に回動可能とした請求項２記載の建具。
【請求項４】
前記一方の押縁の本体の面内方向外側部が、前記一方の枠材に係合する請求項１〜３いずれか１項に記載の建具。
【請求項５】
前記一方の押縁の支持部よりも面内方向外側に外側係合片を設け、
前記一方の枠材に、前記外側係合片に係合及び離脱する外側係合受片を設け、
前記外側係合片は、前記一方の押縁の面内方向内側部分を面材側に向けて回動することで離脱可能となるように、前記外側係合受片に係合している請求項４記載の建具。
【発明の詳細な説明】
【技術分野】
【０００１】
本発明は、カーテンウォール、サッシ窓、障子などのように、枠体内に面材を装着した建具に関する。
【背景技術】
【０００２】
従来から枠体内に面材を装着した建具が種々提案されている。
例えば、特許文献１に開示したように、左右の縦材と、上下の横材とよりなる枠体に、ガラス等の面材を、押縁の取付けによって装着した嵌殺しサッシ窓が提案されている。
【先行技術文献】
【特許文献】
【０００３】
【特許文献１】実開平４−１４６８１号公報
【発明の概要】
【発明が解決しようとする課題】
【０００４】
前述した従来の押縁は、室内側（面材側）に傾斜させ、室内側の脚の傾斜部を下枠の係止部に当接した後に、室外側の脚を押し下げて下枠の係止部に係合部を係合させて押縁を取付けているので、その押縁を取り外しする際には、押縁を室内側に傾斜させて室外側の脚を持ち上げて係合部を下枠の係合部から離脱することになる。
このように、押縁を取付けた状態から室内側に向けて回動し、その押縁を、室内側に傾斜（つまり、面材に向かう方向に傾斜）した状態で取り外しするので、この下枠に取付けた横の押縁の長手方向の端面が縦枠に取付けた縦の押縁に接していると、その縦の押縁を室内側に向けて回動して室内側に傾斜した状態としようとすると、縦の押縁が横の押縁に干渉し、室内側に向けて回動できないので、横の押縁を取付けた状態で縦の押縁を取り外しできない。
【０００５】
前述のことを解消するために、縦の押縁を短くして横の押縁の長手方向の端面が縦の押縁に接しないようにすると、縦、横の押縁の長手方向の端面が離隔するので、その離隔した端面間をシール材で閉塞することになるから、縦・横押縁のコーナー部の見栄えが悪くなってしまう。
【０００６】
本発明の目的は、押縁を容易に取り外しでき、押縁のコーナー部、枠体のコーナー部の見栄えを良くした建具とすることである。
【課題を解決するための手段】
【０００７】
本発明は、枠体内に押縁を用いて面材を装着した建具であって、前記枠体は、縦枠材と横枠材が、一方の枠材の長手方向端面寄り部分が、他方の枠材の長手方向端面と接触するように連結し、前記押縁は、縦押縁と横押縁のうちの一方の押縁が、面内方向内側部分を面材側に向けて回動することで面内方向中間部が離脱可能となるように、一方の枠材に対して係合して取付けられ、前記一方の押縁は、その長手方向端面寄り部分における面内方向内側部分が除去され、その残存した面内方向外側部分が、前記一方の枠材の長手方向端面寄り部分を覆うようにし、前記他方の枠材に取付けた他方の押縁の長手方向端面寄り部分は、前記一方の押縁における前記残存した面内方向外側部分と、当該一方の押縁における面内方向内側部分の長手方向端面とに接して、前記一方の押縁と他方の押縁が連続するようにし、前記一方の押縁は、その面内方向内側部分の長手方向端面寄り部分が前記一方の枠材と係合しないようにしたことを特徴とする建具である。
【０００８】
本発明においては、前記一方の押縁は、面内方向に向かう本体と、この本体の面内方向中間部に設けた中間係合片と、前記本体における中間係合片よりも面内方向外側寄りに設けた支持部を有し、前記中間係合片が、一方の枠材の内側係合受片に係合し、前記支持部が一方の枠材の支持受部に接することで、前記一方の押縁が一方の枠材に係合して取付けられ、前記中間係合片と前記内側係合受片の少なくとも一方における長手方向端面寄り部分を除去して、前記一方の押縁の面内方向内側部分の長手方向端面寄り部分が前記一方の枠材と係合しないようにすることができる。
このようにすれば、一方の押縁の中間係合片と一方の枠材の内側係合受片が係合し、支持部が支持受部に接しているので、一方の押縁を一方の枠材にしっかりと取付けできる。
しかも、中間係合片と内側係合受片のいずれか一方の長手方向端面寄り部分を除去すれば良く、その作業が容易である。
【０００９】
本発明においては、前記内側係合受片は、面内方向内側に突出し、かつ見込み方向面材側に向かう係合受突部を有し、前記中間係合片は、面内方向外側に向かうほぼ鉤形状で、一方の押縁の面内方向内側部分を面材側に傾斜した状態で、面内方向に移動することで前記内側係合受片に係合及び離脱可能で、かつ係合した状態で係合受突部を回動中心として室内外側に回動可能とすることができる。
このようにすれば、一方の押縁の面内方向内側部分を面材側に傾斜した状態で面内方向に移動することで、中間係合片が内側係合受片に係合したり、離脱することができるから、その一方の押縁を一方の枠材に簡単に取付け、取り外しできる。
【００１０】
本発明においては、前記一方の押縁の本体の面内方向の外側部が、前記一方の枠材に係合するようにできる。
このようにすれば、一方の押縁が一方の枠材に面内方向に離隔した２ヶ所で連結されるので、一方の押縁をしっかりと安定した状態で一方の枠材に取付けできる。
【００１１】
本発明においては、前記一方の押縁の支持部よりも面内方向外側に外側係合片を設け、前記一方の枠材に、前記外側係合片に係合及び離脱する外側係合受片を設け、前記外側係合片は、前記一方の押縁の面内方向内側部分を面材側に向けて回動することで離脱可能となるように、前記外側係合受片に係合することができる。
このようにすれば、一方の押縁を、支持部を境とした面内方向の内側と外側の２ヶ所で一方の枠材に連結できるので、一方の押縁を一方の枠材にしっかりと安定して取付けできる。
【発明の効果】
【００１２】
本発明によれば、一方の押縁の面内方向内側部分における長手方向端面寄り部分を、強い力で面材側に押すことで、一方の押縁において面内方向内側部分が除去されて残存した面内方向外側部分が面材側に向けて回動するように湾曲変形し易い。したがって、この残存した面内方向外側部分の回動軌跡上に他方の押縁が存在しても、残存した面内方向外側部分が他方の押縁を乗り越え易い為、他方の押縁を取付けた状態で一方の押縁を取り外しできる。
しかも、一方の押縁と他方の押縁が連続するので、縦・横押縁のコーナー部の見栄えが良い。
【図面の簡単な説明】
【００１３】
【図１】本発明の実施の形態を示す建具の概略内観図である。
【図２】図１の詳細縦断面図である。
【図３】図１の詳細横断面図である。
【図４】縦押縁取付部分の拡大横断面図である。
【図５】縦押縁の取付け、取り外し説明図である。
【図６】横枠材と縦枠材の連結部を示す正面図である。
【図７】縦押縁、横押縁の取付け状態の正面図である。
【図８】図７のＡ−Ａ断面図である。
【図９】図７のＢ−Ｂ断面図である。
【図１０】下の横押縁と縦押縁の取付部のコーナー部を示す斜視図である。
【発明を実施するための形態】
【００１４】
図１に示すように、サッシ枠１に障子２を縦すべり出し自在に取付けて縦すべり出し窓としてある。
前記障子２は、枠体３内に面材４を押縁５を用いて装着してある。この障子２が本発明の建具である。
前記サッシ枠１は、上枠１ａと下枠１ｂと左右の縦枠１ｃを有している。
【００１５】
前記枠体３は、図２、図３に示すように、横の枠材、例えば上の横枠材１０、下の横枠材２０と縦の枠材、例えば左右の縦枠材３０を有している。
前記横枠材１０，２０と縦枠材３０は縦通しで連結してある。
つまり、横枠材１０，２０の長手方向端部を縦枠材３０の面内方向の内側部に突き当てて連結してある。前記面内方向とは室内外側方向と直角な方向で、内側部とは枠体３の内周面を形成する部分である。
例えば、図３に示すように、下の横枠材２０の長手方向端面２０ａが縦枠材３０の面内方向内側面３０ａに突き当てて連結してある。
【００１６】
前述のように、横枠材１０，２０と縦枠材３０を縦通しで連結することで、縦枠材３０の上部は上の横枠材１０の上部まで連続し、下部は下の横枠材２０の下部まで連続する。
【００１７】
前記押縁５は、図２、図３に示すように、横の押縁、例えば、上の横枠材１０に取付けた上の横押縁４０と、下の横枠材２０に取付けた下の横押縁５０と、縦の押縁、例えば左右の縦枠材３０に取付けた左右の縦押縁６０を有している。
【００１８】
前記上の横枠材１０と上の横押縁４０、下の横枠材２０と下の横押縁５０、縦枠材３０と縦押縁６０で、面材装着用凹部６をそれぞれ形成している。
この各面材装着用凹部６に面材４の上縁部、下縁部、縦縁部がそれぞれ挿入し、室内側シール材７と室外側シール材８でシールしてある。
この実施の形態では、上下の横枠材１０，２０、縦枠材３０にアタッチメント１１，２１，３１をそれぞれ取付け、このアタッチメント１１，２１，３１と面材４との間を室内側シール材７でシールしてある。この室内側シール材７は湿式シール材であるが、乾式シール材でも良い。
【００１９】
前記上の横押縁４０、下の横押縁５０は図２に示すように、上下方向に向かう縦向部４１，５１と室内外側方向（見込み方向）に向かう横向部４２，５２で鉤形状で、その各横向部４２，５２に設けた係合片４３，５３が、上下の横枠材１０，２０に設けた係合受片１２，２２に係合し、上下の横押縁４０，５０は上下の横枠材１０，２０の室外側部に、室外側に向かう力が作用しても外れないように係合して取付けてある。つまり、上下の横押縁４０，５０は同一断面形状である。
【００２０】
前記縦押縁６０は、図３に示すように、全体を面材側に向けて回動した場合は勿論、面内方向内側部分を面材側に向けて回動することで面内方向中間部が離脱可能となるように縦枠材３０に対して係合して取付けてある。尚、ここで面材側に向けて回動するとは、見込み方向において面材側に向けて回動することである。
例えば、前記縦押縁６０は面内方向に向かう本体６１を備え、その本体６１の面内方向中間部に中間係合片６２を設け、縦枠材３０に内側係合受片３２を設け、その中間係合片６２を内側係合受片３２に、本体６１の全体を面材側に向けて回動した場合は勿論、本体６１の面内方向内側部を面材側に向けて回動することで離脱可能に係合している。
この本体６１の面材側面６１ａにおける面内方向の内側部と面材４との間が室外側シール材８でシールしてある。この室外側シール材８は湿式シール材であるが、乾式シール材でも良い。
【００２１】
この実施の形態の縦押縁６０は、本体６１の面内方向外側部が縦枠材３０に、その本体６１の全体が面材側に向けて回動した場合は勿論、本体６１の面内方向内側部が面材側に向けて回動すると離脱可能に係合している。
【００２２】
これにより、縦押縁６０は面内方向中間部と面内方向外側部が縦枠材３０に連結されているので、縦押縁６０をしっかりと安定して縦枠材３０に取付けできる。
【００２３】
この実施の形態の左右の縦押縁６０は、図３に示すように、面内方向に向かう本体６１と、この本体６１の面内方向中間部に設けた中間係合片６２と、前記本体６１における中間係合片６２よりも面内方向外側寄りに設けた支持部６３と、前記本体６１における面内方向外側部に設けた外側係合片６４を有している。つまり、左右の縦押縁６０は同一断面形状である。
前記縦枠材３０は、内側係合片３２、支持受部３３、外側係合受片３４を有している。
【００２４】
前記縦押縁６０の中間係合片６２が前記内側係合受片３２に前述のように係合し、支持部６３が支持受部３３に接することで、縦押縁６０は縦枠材３０に、室外側に向かう力が作用しても外れないように係合して取付けてあると共に、縦押縁６０は中間係合片６２と内側係合受片３２の係合部分を回動中心として室内外側方向に回動可能である。
しかも、縦押縁６０の外側係合片６４が外側係合受片３４に係合し、縦押縁６０は縦枠材３０に室内外側方向に動くことなく、しっかりと安定した状態で取付けてある。
【００２５】
そして、縦押縁６０は、取付けた状態から前述の係合部分を回動中心として本体６１の面内方向内側部が面材側に向けて回動し、その縦押縁６０（本体６１）の全体の場合は勿論、縦押縁６０の面内方向内側部分を面材側に傾斜した状態とすることで取り外しできる。
また、縦押縁６０は、前述の室内側に傾斜した状態として中間係合片６２を内側係合受片３２に係合し、その係合部分を支点として本体６１の面内方向内側部を室外側に向けて回動することで縦押縁６０を縦枠材３０に取付けできる。
【００２６】
前述の室内側に傾斜した状態とは、縦押縁６０の本体６１における面内方向内側部（面材４を支持する部分）が、図３に示す縦押縁６０の取付け状態（前述の本体６１が面材４と平行な状態）よりも面材４に接近した室内外側方向に斜めとなった状態である。
また、面材側に向けて回動とは、前述の本体６１の面内方向内側部が面材４に接近する方向に回動することである。
また、室外側に向けて回動とは、前述の本体６１の面内方向内側部が面材４と離れる方向に回動することである。
【００２７】
前記縦押縁６０の取付け、取り外しを詳細に説明する。
前記縦枠材３０の内側係合受片３２は、図４に示すように縦枠材３０の室外側部３０ｂの面内方向内側面３０ａよりも面内方向内側に突出し、かつ見込み方向面材側に向かう係合受突部３２ａを有している。
前記外側係合受片３４は、縦枠材３０の室外側部３０ｂの面内方向外側面３０ｃよりも面内方向外側に突出している。
前記支持受部３３は、縦枠材３０の室外側端面３０ｄである。
【００２８】
前記縦押縁６０の中間係合片６２は、図４に示すように本体６１の面材側面６１ｂと連続した見込み方向面材側に向かう基片６２ａと、この基片６２ａの見込み方向面材側端と連続し、面内方向外側に向かう外向片６２ｂで面内方向外側に向かうほぼ鉤形状で、その外向片６２ｂが内側係合受片３２の係合受突部３２ａと係合する。この外向片６２ｂが係合受突部３２ａを回動中心として室内外側方向に回動可能である。
前記支持部６３は、本体６１の面材側面６１ａよりも見込み方向面材側に突出した突条である。
前記外側係合片６４は、本体６１の面内方向外側端と連続し、見込み方向面材側に向けて突出し、この外側係合片６４が外側係合受片３４に係合する。
【００２９】
前記縦押縁６０を縦枠材３０に取付けるには、図５に実線で示すように縦押縁６０（本体６１）を見込み方向面材側に傾斜した状態とし、中間係合片６２の外向片６２ｂを内側係合受片３２の係合受突部３２ａよりも見込み方向面材側に位置すると共に、支持部６３を支持受部３３よりも見込み方向室外側に位置するようにする。
つまり、中間係合片６２が内側係合受片３２に係合するようにする。
このとき、縦押縁６０（本体６１）が面材４と干渉しない。
【００３０】
前述の状態で縦押縁６０を矢印ａ方向に平行移動して図５に１点鎖線で示すように中間係合片６２を内側係合受片３２に係合する。
この後に、縦押縁６０を、前述の中間係合片６２と内側係合受片３２の係合部分、つまり内側係合受片３２の係合受突部３２ａを回動中心として矢印ｂで示すように見込み方向室外側（面材４と離間する方向）に向けて回動し、外側係合片６４を外側係合受片３４に係合すると共に、支持部６３を支持受部３３に押しつけて図５に２点鎖線で示すように取付け状態とする。
前述の矢印ａ方向の移動と矢印ｂ方向の回動は同時に連続的に行うことが可能である。
【００３１】
前記縦押縁６０を取り外しするには、図５に２点鎖線で示す縦押縁６０を矢印ｃで示すように前述の係合部分を回動中心として本体６１の面内方向内側部を面材側に向けて回動し、縦押縁６０を１点鎖線で示すように面材側に傾斜した状態とする。
この状態で、１点鎖線で示す縦押縁６０を矢印ｄ方向に平行に移動して実線で示すように中間係合片６２を内側係合受片３２から離脱して取り外しする。
前述の矢印ｃ方向の回動と矢印ｄ方向の移動は同時に連続的に行うことができる。
【００３２】
次に、横の枠材と縦の枠材の連結について説明する。
前述したように上の横枠材１０、下の横枠材２０の長手方向端面１０ａ，２０ａは、図６に示すように縦枠材３０の面内方向内側面３０ａに当接し、縦枠材３０の長手方向端面寄り部分、例えば上端面寄り部分３０ｅは上の横枠材１０の上面１０ｂまで連続して上の横枠材１０の長手方向端面１０ａと接触している。
縦枠材３０の長手方向端面寄り部分、例えば下端面寄り部分３０ｆは下の横枠材２０の下面２０ｂまで連続して下の横枠材２０の長手方向端面２０ａと接触している。
【００３３】
そして、上の横押縁４０、下の横押縁５０は、図６に２点鎖線で示すように、その長手方向端面４０ａ，５０ａが上下の横枠材１０，２０の長手方向端面１０ａ，２０ａと面一に取付けてある。
なお、縦枠材３０の中間係合受片３２は、その長手方向端面寄り部分、例えば上下端面寄り部分が切欠きされて上下の横枠材１０，２０が中間係合受片３２と干渉せずに縦枠材３０の面内方向内側面３０ａに当接できるようにしてある。
【００３４】
このようであるから、縦枠材３０における上下の横枠材１０，２０の長手方向端面１０ａ，２０ａと接触した前述の上端面寄り部分３０ｅ、下端面寄り部分３０ｆ（図６に斜線で示す部分）が上下の横押縁４０，５０で覆われないで露出したままだと、枠体１のコーナー部の見栄えが悪い。
そこで、本発明においては、図６に１点鎖線で示すように、縦押縁６０で前述した縦枠材３０の上端面寄り部分３０ｅ、下端面寄り部分３０ｆを覆うようにして枠体１のコーナー部の見栄えを良くしている。
【００３５】
具体的には、図６、図７に示すように、縦押縁６０の本体６１の長手方向端面寄り部分６０ａ，６０ｂ、例えば上下端面寄り部分における面内方向内側部分、例えば支持部６３よりも面内方向内側部分を除去、例えば切断して鉤形状に除去する。
そして、縦押縁６０の残存した面内方向外側部分６０ｃで前述した縦枠材３０の長手方向端面寄り部分、例えば上端面寄り部分３０ｅ、下端面寄り部分３０ｆを覆うと共に、前記上下の横押縁４０，５０の長手方向端面寄り部分４０ｂ，５０ｂは、前記縦押縁６０における前記残存した面内方向外側部分６０ｃと、その縦押縁６０における面内方向内側部分の長手方向端面とに接して、縦押縁６０と上下の横押縁１０，２０が連続するようにして縦横押縁のコーナー部の見栄えを良くしている。
【００３６】
例えば、本体６１の上端寄り部分の面内方向内側部分を、上縦向切断面６０ｄと上横向切断面６０ｅで鉤形状に切断し、その各切断面を上の横押縁４０の長手方向端面４０ａ、下面４０ｃに接して縦押縁６０と上の横押縁４０を連続する。つまり、上横向切断面６０ｅが前述の面内方向内側部分の長手方向端面である。
前記本体６１の下端寄り部分の面内方向内側部分を、下縦向切断面６０ｆと下横向切断面６０ｇで鉤形状に切断し、その各切断面を下の横押縁５０の長手方向端面５０ａ、上面５０ｃに接して縦押縁６０と下の横押縁５０を連続する。つまり、下横向切断面６０ｇが前述の面内方向内側部分の長手方向端面である。
【００３７】
このようにすることで、図７に示すように、上下の横押縁４０，５０と縦押縁６０が連続すると共に、縦枠材３０の上端面寄り部分３０ｅ、下端面寄り部分３０ｆを縦押縁６０で覆っているので、枠体１のコーナー部、押縁のコーナー部の見栄えが良い。
【００３８】
しかし、図７と図８に示すように、縦押縁６０の上縦向切断面６０ｄ、下縦向切断面６０ｆが上下の横押縁４０，５０の長手方向端面４０ａ，５０ａに当接しているので、図７に示す状態で縦押縁６０の全体を面材側に向けて回動して面材側に傾斜した状態としようとしたときは勿論、縦押縁６０の面内方向内側部分を面材側に向けて回動したときに、前述した上下縦向切断面６０ｄ、６０ｆが上下の横押縁４０，５０の長手方向端面４０ａ，５０ａのために面材側に向けて動けないので、縦押縁６０を面材側に向けて回動できない。
このために、横押縁４０，５０を取付けた状態で縦押縁６０を取り外しできない。
【００３９】
そこで本発明は、図７、図９、図１０に示すように、縦押縁６０の中間係合片６２の長手方向端面寄り部分を更に除去し、縦押縁６０（本体６１）の面内方向内側部分における長手方向端面寄り部分が縦枠材３０の内側係合受片３２と係合しないようにする。
そして、縦押縁６０の本体６１における中間係合片６２を除去した面内方向内側部分の長手方向端面寄り部分、つまり図７において中間係合片６２の上端面６２ｃと上横向切断面６０ｅとの間の部分、ならびに、下端面６２ｄと下横向切断面６０ｇとの間の部分において、中間係合片６２と縦枠材３０の面内方向内側面３０ａとの干渉が生じない。
従って、縦押縁６０の面内方向内側部分を面材側に向けて回動する際、縦押縁６０における中間係合片６２を除去した面内方向内側部分と隣接する面内方向外側部分は、中間係合片６２が除去されていない面内方向内側部分と隣接する面内方向外側部分に比べて変形し易く、また、縦押縁６０における面内方向内側部分が除去された面内方向外側部分６０ｃは、この中間係合片６２が除去された面内方向内側部分と隣接する面内方向外側部分に比べて更に変形し易い。
よって、縦押縁６０の面内方向内側部分を面材側に向けて回動する際、縦押縁６０の面内方向外側部分６０ｃが縦枠材３０と干渉しても、この面内方向外側部分６０ｃが変形して縦枠材３０を乗り越えることができる。
具体的には、縦押縁６０の面内方向内側部分を面材側に向けて回動する際、縦押縁６０の面内方向外側部分６０ｃにおける上下縦向切断面６０ｄ、６０ｆが、上下の横押縁４０，５０の長手方向端面４０ａ，５０ａと干渉しても、この長手方向端面４０ａ，５０ａを上下縦向切断面６０ｄ、６０ｆが乗り越えるように縦押縁６０の面内方向外側部分６０ｃが変形することができる。
【００４０】
前記縦押縁６０を取外しする場合には、縦押縁６０の本体６１における前述した面内方向内側部分、好ましくは中間係合片６２を除去した長手方向端面寄りを強い力で面材側に向けて押して面材側に向けて回動することで、中間係合片６２が内側係合受片３２から離脱するとともに縦押縁６０の面内方向外側部分６０ｃにおける上下縦向切断面６０ｄ、６０ｆが、上下の横押縁４０，５０の長手方向端面４０ａ，５０ａを乗り越えるように縦押縁６０の面内方向外側部分６０ｃが変形することで、縦押縁６０を取り外しできる。
前述の動作のときに、外側係合片６４が縦枠材３０の外側係合受片３４から離脱する。
【００４１】
このようであるから、上下の横押縁４０，５０を取付けた状態で縦押縁６０を取り外しできる。
また、１度取り外した縦押縁６０は、前述したように再び取付けすることができる。
【００４２】
前述の実施の形態では中間係合片６２の上下端部分を除去したが、中間係合片６２ではなく内側係合受片３２の下端面寄り部分および上端面寄り部分を除去しても良い。
この場合には、内側係合受片３２の下端面寄り部分、上端面寄り部分を横押縁４０，５０に合わせて除去する際に、上下一方を横押縁４０，５０に合わせた寸法よりも長く除去すれば良く、その作業が容易である。
また、中間係合片６２と内側係合受片３２の両方を除去するようにしても良い。
【００４３】
要するに、本発明は、押縁の面内方向中間部の長手方向端面寄り部分が枠材と係合しないようにすれば良い。
このようにすることで、前記押縁の面内方向内側部における長手方向端面寄り部分が面材側に回動するように、押縁において面内方向内側部分が除去されて残存した面内方向外側部分が変位し易くなる。
【００４４】
前述の実施の形態では、上下の横押縁４０，５０を上下の横枠材１０，２０に係合して取付けしたが、縦押縁６０と同様にして取付けても良い。
【００４５】
また、上下の横枠材１０，２０と左右の縦枠材３０を横通しとして連結しても良い。
つまり、縦・横一方の枠材の長手方向端面寄り部分が、縦・横他方の枠材の長手方向端面と接触するように縦・横の枠材を連結すれば良い。
この場合には、横押縁４０，５０と縦押縁６０を反対の形状とし、縦押縁６０を取付けた状態で横押縁４０，５０を、その面内方向内側部における長手方向端面寄り部分を面材側に向けて湾曲変形できるようにする。
【００４６】
本発明は前述した障子に限ることはなく、建物の躯体に取付けられて面材を固定する開口枠にも適用でき、また、カーテンウォール、サッシ窓などにも適用できることは勿論である。
【符号の説明】
【００４７】
３…枠体、４…面材、５…押縁、１０…上の横枠材、１０ａ…長手方向端面、２０…下の横枠材、２０ａ…長手方向端面、３０…縦枠材、３０ａ…面内方向内側面、３０ｃ…面内方向外側面、３２…内側係合受片、３２ａ…室内側突部、３３…支持受部、３４…外側係合受片、４０…上の横押縁、４０ａ…長手方向端面、５０…下の横押縁、５０ａ…長手方向端面、６０…縦押縁、６１…本体、６２…中間係合片、６３…支持部、６４…外側係合片。
【図１】
2010216148.tif 000003
【図２】
2010216148.tif 000004
【図３】
2010216148.tif 000005
【図４】
2010216148.tif 000006
【図５】
2010216148.tif 000007
【図６】
2010216148.tif 000008
【図７】
2010216148.tif 000009
【図８】
2010216148.tif 000010
【図９】
2010216148.tif 000011
【図１０】
2010216148.tif 000012